(57)【特許請求の範囲】
【請求項１】
階段の踏み面上に設置される第１の板部と、
前記第１の板部の相対する一辺に連接されて、前記階段の段鼻に沿って折り曲げられる第２の板部と、
前記第１の板部の相対する他辺に連接されて、前記階段の蹴込み面に沿って折り曲げられる第３の板部とを備え、
前記第１の板部、前記第２の板部及び前記第３の板部は、厚紙と、前記厚紙の一面に貼り付けられた樹脂フィルムと、前記厚紙の他面に貼り付けられた発泡樹脂シートとを含むシート基材により一体に形成されており、
前記第２の板部は、前記第１の板部に連接されて、前記段鼻の端面に沿って折り曲げられる第１の折り曲げ片と、前記第１の折り曲げ片に連接されて、前記段鼻の裏面に沿って折り曲げられる第２の折り曲げ片とを有し、
前記シート基材は、前記第１の板部と前記第２の板部との間にエンボス加工により形成された第１の折り曲げ罫線と、前記第１の板部と前記第３の板部との間にミシン目加工により形成された第２の折り曲げ罫線と、前記第１の折り曲げ片と前記第２の折り曲げ片との間にミシン目加工により形成された第３の折り曲げ罫線とを含み、
前記発泡樹脂シートには、前記第３の折り曲げ罫線と重なる位置を切り欠く溝部が設けられていることを特徴とする階段用養生シート。
【請求項２】
前記第２の折り曲げ罫線が複数並んで設けられていることを特徴とする請求項１に記載の階段用養生シート。
【請求項３】
前記第１の板部には、エンボス加工による滑り止めパターンが設けられていることを特徴とする請求項１又は２に記載の階段用養生シート。
【発明の詳細な説明】
【技術分野】
【０００１】
本発明は、階段用養生シートに関する。
【背景技術】
【０００２】
例えば、建物内で荷物や資材等を搬送する際に、養生シートを建物の床面や壁面に設置し、床面や壁面を一時的に保護することが行われている。その中でも、階段を保護する様々な階段用養生シートが従来より提案されている（例えば、特許文献１〜４を参照。）。
【先行技術文献】
【特許文献】
【０００３】
【特許文献１】実開昭５８−３１８９０号公報
【特許文献２】特開平４−３７１６７４号公報
【特許文献３】特開平９−１００６３１号公報
【特許文献４】実開平４−１２９２６５号公報
【発明の概要】
【発明が解決しようとする課題】
【０００４】
ところで、従来の階段用養生シートでは、階段を上がる際に、階段の踏み面上に設置された養生シートの先端側を蹴り上げることによって、養生シートが捲れ上がってしまうことがあった。
【０００５】
本発明は、このような従来の事情に鑑みて提案されたものであり、階段の踏み面上に設置された養生シートの捲れ上がりを防止した階段用養生シートを提供することを目的とする。
【課題を解決するための手段】
【０００６】
上記の目的を達成するために、本発明は以下の手段を提供する。
（１）  階段の踏み面上に設置される第１の板部と、
前記第１の板部の相対する一辺に連接されて、前記階段の段鼻に沿って折り曲げられる第２の板部と、
前記第１の板部の相対する他辺に連接されて、前記階段の蹴込み面に沿って折り曲げられる第３の板部とを備え、
前記第１の板部、前記第２の板部及び前記第３の板部は、厚紙と、前記厚紙の一面に貼り付けられた樹脂フィルムと、前記厚紙の他面に貼り付けられた発泡樹脂シートとを含むシート基材により一体に形成されており、
前記第２の板部は、前記第１の板部に連接されて、前記段鼻の端面に沿って折り曲げられる第１の折り曲げ片と、前記第１の折り曲げ片に連接されて、前記段鼻の裏面に沿って折り曲げられる第２の折り曲げ片とを有し、
前記シート基材は、前記第１の板部と前記第２の板部との間にエンボス加工により形成された第１の折り曲げ罫線と、前記第１の板部と前記第３の板部との間にミシン目加工により形成された第２の折り曲げ罫線と、前記第１の折り曲げ片と前記第２の折り曲げ片との間にミシン目加工により形成された第３の折り曲げ罫線とを含み、
前記発泡樹脂シートには、前記第３の折り曲げ罫線と重なる位置を切り欠く溝部が設けられていることを特徴とする階段用養生シート。
（２）  前記第２の折り曲げ罫線が複数並んで設けられていることを特徴とする前記（１）に記載の階段用養生シート。
（３）  前記第１の板部には、エンボス加工による滑り止めパターンが設けられていることを特徴とする前記（１）又は（２）に記載の階段用養生シート。
【発明の効果】
【０００７】
以上のように、本発明によれば、階段の踏み面上に設置された養生シートの捲れ上がりを防止した階段用養生シートを提供することが可能である。
【図面の簡単な説明】
【０００８】
【図１】本発明の一実施形態として示す階段用養生シートを表面側から見た平面図である。
【図２】図１に示す階段用養生シートを裏面側から見た平面図である。
【図３】図１に示す階段用養生シートの断面図である。
【図４】図１に示す階段用養生シートの使用形態の一例を示す側面図である。
【発明を実施するための形態】
【０００９】
以下、本発明の実施の形態について、図面を参照して詳細に説明する。なお、以下の説明で用いる図面は、特徴をわかりやすくするために、便宜上特徴となる部分を拡大して示している場合があり、各構成要素の寸法比率などが実際と同じであるとは限らないものとする。
【００１０】
本発明の一実施形態として、例えば図１、図２及び図３に示すような階段用養生シート１について説明する。なお、図１は、階段用養生シート１を表面側から見た平面図である。図２は、階段用養生シート１を裏面側から見た平面図である。図３は、階段用養生シート１の構成を示す断面図である。
【００１１】
階段用養生シート１は、図１、図２及び図３に示すように、厚紙２と、厚紙２の一面（表面）に貼り付けられた樹脂フィルム３と、厚紙２の他面（裏面）に貼り付けられた発泡樹脂シート４とを含む矩形状のシート基材１０を備えている。
【００１２】
なお、厚紙２、樹脂フィルム３及び発泡樹脂シート４の材質については、特に限定されるものではなく、養生シート１として使用可能なものを適宜選択して用いればよい。例えば、本実施形態では、厚紙２に板紙、樹脂フィルム３にポリエチレンフィルム、発泡樹脂シート４に発泡ポリエチレンシートを用いている。
【００１３】
階段用養生シート１は、シート基材１０により一体に形成された第１の板部５、第２の板部６及び第３の板部７を備えている。また、第２の板部６は、第１の折り曲げ片８と第２の折り曲げ片９とを有して構成されている。
【００１４】
シート基材１０は、第１の板部５と第２の板部６（第１の折り曲げ片８）との間に第１の折り曲げ罫線Ｌ１と、第１の板部５と第３の板部７との間に第２の折り曲げ罫線Ｌ２と、第１の折り曲げ片８と第２の折り曲げ片９との間に第３の折り曲げ罫線Ｌ３とを含み、これら第１、第２及び第３の折り曲げ罫線Ｌ１〜Ｌ３に沿って折り曲げ自在とされている。
【００１５】
具体的に、第１、第２及び第３の折り曲げ罫線Ｌ１〜Ｌ３は、シート基材１０の長手方向（長さ方向）に平行に配置されると共に、シート基材１０の短手方向（幅方向）に所定の間隔で並んで設けられている。
【００１６】
また、第２の折り曲げ罫線Ｌ２は、所定の間隔で平行に複数（本実施形態では２本）並んで設けられている。これにより、階段用養生シート１では、後述する階段１００の踏み面Ｆと蹴込み面Ｗとの境界に合わせて、実際に折り曲げる第２の折り曲げ罫線Ｌ２を選択することができ、第１の板部５に対する第３の板部７の折り曲げ位置を変更することが可能である。
【００１７】
第１、第２及び第３の折り曲げ罫線Ｌ１〜Ｌ３のうち、第１の折り曲げ罫線Ｌ１は、シート基材１０の発泡樹脂シート４側からエンボス加工することによって直線状に形成されている。一方、第２の折り曲げ罫線Ｌ２及び第３の折り曲げ罫線Ｌ３は、シート基材１０の発泡樹脂シート４側からミシン目加工することによって直線状に形成されている。ミシン目加工については、シート基材１０の両端部分からの破断を防ぐため、この両端部分を避けた位置からミシン目加工を行うことが好ましい。また、シート基材１０の発泡樹脂シート４側からエンボス加工又はミシン目加工を行うことによって、シート基材１０を第１、第２及び第３の折り曲げ罫線Ｌ１〜Ｌ３で折り曲げ易くすることができる。
【００１８】
また、発泡樹脂シート４には、第３の折り曲げ罫線Ｌ３と重なる位置を切り欠く帯状の溝部１１が設けられている。このような溝部１１を設けることで、第２の板部６を構成する第１の折り曲げ片８と第２の折り曲げ片９との間で、シート基材１０を直角（９０°）に折り曲げた状態を保持し易くすることが可能である。
【００１９】
第１の板部５は、後述する階段１００の踏み面Ｆ上に設置される部分であり、踏み面Ｆに対応して矩形（長方形）平板状に形成されている。また、第１の板部５の表面には、シート基材１０の発泡樹脂シート４側からエンボス加工することによって、第１の折り曲げ罫線Ｌ１に沿った滑り止めパターン１２が設けられている。
【００２０】
滑り止めパターン１２は、足を載せたときの滑り止めとなる部分である。滑り止めパターン１２の形状については、特に限定されるものではない。例えば、本実施形態における滑り止めパターン１２は、互いに平行に並ぶ帯状の凸パターン１２ａが第１の板部５の長手方向に断続的に並ぶことによって形成されている。
【００２１】
第２の板部６は、後述する階段１００の段鼻Ｂに沿って折り曲げられる部分であり、第１の板部５の長手方向における相対する一辺に連接されている。また、第２の板部６を構成する第１の折り曲げ片８は、段鼻Ｂの端面に沿って折り曲げられる部分であり、この段鼻Ｂの端面に対応して矩形（長方形）帯状に形成されている。第１の折り曲げ片８は、第１の板部５と連接されると共に、第１の折り曲げ罫線Ｌ１に沿って、第１の板部５に対して立ち下がる方向（下方）に９０°〜１２０°程度（好ましくは９０°）で折り曲げ可能となっている。
【００２２】
一方、第２の板部６を構成する第２の折り曲げ片９は、段鼻Ｂの裏面に沿って折り曲げられる部分であり、この段鼻Ｂの裏面に対応して矩形（長方形）帯状に形成されている。第２の折り曲げ片９は、第１の折り曲げ片８と連接されると共に、第３の折り曲げ罫線Ｌ３に沿って、第１の折り曲げ片８と同じ方向に９０°〜１２０°程度（好ましくは９０ど）で折り曲げ可能となっている。
【００２３】
第３の板部７は、後述する階段１００の蹴込み面Ｗに沿って折り曲げられる部分であり、蹴込み面Ｗに対応して矩形（長方形）平板状に形成されている。第３の板部７は、第１の板部５の長手方向における相対する他辺に連接されている。また、第３の板部７は、第２の折り曲げ罫線Ｌ２に沿って、第１の板部５に対して立ち上がる方向（上方）に略直角に折り曲げ可能となっている。
【００２４】
以上のような構成を有する階段用養生シート１の使用形態の一例を図４に示す。なお、図４は、階段用養生シート１の使用形態の一例を示す断面図である。
【００２５】
階段用養生シート１を使用する際は、図４に示すように、シート基材１０の発泡樹脂シート４側を階段１００の踏み面Ｆに向けた状態で、第１の板部５が踏み面Ｆ上に設置される。また、この状態で、第２の板部６が階段１００の段鼻Ｂに沿って折り曲げられる。さらに、この状態で、第３の板部７が階段１００の蹴込み面Ｗに沿って略直角に折り曲げられる。
【００２６】
このとき、第２の板部６のうち、第１の折り曲げ片８が段鼻Ｂの端面に沿って略直角に折り曲げられ、更に第２の折り曲げ片９が段鼻Ｂの裏面に沿って略直角に折り曲げられる。これにより、第２の板部６は、段鼻Ｂの端面から裏面に亘って断面略コ字状に折り曲げられた状態となる。
【００２７】
このような階段用養生シート１を使用した場合には、階段１００を上がる際に、階段１００の踏み面Ｆ上に設置された階段用養生シート１の先端側を蹴り上げることによって、この階段用養生シート１が捲れ上がってしまうことを防ぐことが可能である。すなわち、本実施形態の階段用養生シート１では、第２の板部６を構成する第１及び第２の折り曲げ片８，９が段鼻Ｂの端面から裏面に亘って折り曲げられている。これにより、階段用養生シート１の先端側を蹴り上げたとしても、第２の板部６が階段１００の段鼻Ｂに引っ掛かるため、この階段用養生シート１の捲れ上がりを防止することが可能である。
【００２８】
なお、本発明は、上記実施形態のものに必ずしも限定されるものではなく、本発明の趣旨を逸脱しない範囲において種々の変更を加えることが可能である。
例えば、階段用養生シート１については、階段１００の形状等に合わせて、サイズの異なるものを予め複数種用意しておいてもよい。また、階段１００の形状等に合わせて、カットして使用するようにしてもよい。
【符号の説明】
【００２９】
１…階段用養生シート  ２…厚紙  ３…樹脂フィルム  ４…発泡樹脂シート  ５…第１の板部  ６…第２の板部  ７…第３の板部  ８…第１の折り曲げ片  ９…第２の折り曲げ片  １０…シート基材  １１…溝部  １２…滑り止めパターン  Ｌ１…第１の折り曲げ罫線  Ｌ２…第２の折り曲げ罫線  Ｌ３…第３の折り曲げ罫線  Ｆ…踏み面  Ｗ…蹴込み面  Ｂ…段鼻
【図１】
0006675222.tif 000002
【図２】
0006675222.tif 000003
【図３】
0006675222.tif 000004
【図４】
0006675222.tif 000005